(57)【要約】      （修正有）【課題】外観の美しさと使用寿命を向上させることができるディスプレイラックの摩擦防止構造を提供する。【解決手段】少なくとも一つの連結台座１０を備える。前記連結台座には、支持バー２０を差し込むための穿孔１１と、傾斜バーを枢設するための少なくとも一つの凹溝部１３とが設けられ、それにより、ディスプレイラックを展開或いは収納することができる。また、前記連結台座に前記支持バーを差し込む箇所には隔離部材３０が設けられる。【選択図】図１
0003175585.tif 000002
【実用新案登録請求の範囲】
【請求項１】
少なくとも一つの連結台座を備えるディスプレイラックの摩擦防止構造であって、
前記連結台座には、支持バーを差し込める穿孔と、傾斜バーを枢設するための凹溝部が設けられ、それにより、前記ディスプレイラックは、展開や収納することができるようになり、
前記連結台座に前記支持バーを差し込む箇所には隔離部材が設けられ、それにより、前記ディスプレイラックを展開や収納して、前記連結台座と前記支持バーを相対的に移動させる時に、前記隔離部材によって前記連結台座と前記支持バーの間の摩擦による損傷を防ぐことができることを特徴とする、ディスプレイラックの摩擦防止構造。
【請求項２】
前記隔離部材の内側面には、複数の棒状突部が設けられることを特徴とする、請求項１に記載のディスプレイラックの摩擦防止構造。
【請求項３】
前記隔離部材には、複数のくり抜き孔が設けられることを特徴とする、請求項１に記載のディスプレイラックの摩擦防止構造。
【考案の詳細な説明】
【技術分野】
【０００１】
本考案はディスプレイラックの摩擦防止構造に関し、特にディスプレイラックを展開や収納し、ディスプレイラックの連結台座と支持バーが相対的に移動する時、連結台座と支持バーの間が摩擦により損傷するのを防ぎ、外観の美しさと使用寿命を向上させることができるディスプレイラックの摩擦防止構造に関する。
【背景技術】
【０００２】
本考案者は、以前、ディスプレイラック及びディスプレイラックの周辺製品を複数考案している。その内、台湾特許第４９９０１９号「ラックの収納、連結構造の改良」は、ディスプレイラックの構造を簡易化し、組み立てと解体を容易にし、製造コストを低くすることができる。前記特許の構造は、主に、連結台座と、支持バーと、傾斜バーとからなり、前記連結台座には、支持バーを差し込むための穿孔と、傾斜バーを枢設するための溝部が設けられ、それにより、支持バーと傾斜バーを連結することができる。以上の構造により、ディスプレイラックを展開及び収納しやすくなり、ディスプレイラックを縦方向と横方向に無限に延伸させることができるようになる。しかしながら、ディスプレイラックを展開或いは収納する時、ある部分の連結台座と支持バーは相対的に移動する、即ち、ある部分の連結台座の穿孔は支持バーの表面と摩擦を起こす。また、連結台座の穿孔は、時折、材料が原因で成型する時に粗い表面になってしまうか、或いは、製造の誤差により、連結台座の穿孔と支持バーの表面がきつく結合され、しかも、連結台座の穿孔と支持バー表面の間には、間隔を隔離できる隔離部材が設けられていないため、ディスプレイラックを展開或いは収納した時、連結台座の穿孔と支持バーの表面に摩擦が生じ、支持バー表面或いは連結台座の穿孔が損傷してしまう。従って、外観が美しくないだけでなく使用寿命が短くなる。
【先行技術文献】
【特許文献】
【０００３】
【特許文献１】台湾特許第４９９０１９号明細書
【考案の概要】
【考案が解決しようとする課題】
【０００４】
そこで、本考案は、外観の美しさと使用寿命を向上させることができるディスプレイラックの摩擦防止構造を提供することを目的とする。
【課題を解決するための手段】
【０００５】
本考案によるディスプレイラックの摩擦防止構造は、少なくとも一つの連結台座を備える。前記連結台座には、支持バーを差し込むための穿孔と、傾斜バーを枢設するための少なくとも一つの凹溝部とが設けられ、それにより、前記ディスプレイラックを展開或いは収納することができる。また、前記連結台座に前記支持バーを差し込む箇所には隔離部材が設けられる。以上の構造により、ディスプレイラックを展開や収納し、ディスプレイラックの連結台座と支持バーが相対的に移動する時、連結台座と支持バーの間が摩擦により損傷するのを防ぎ、外観の美しさと使用寿命を向上させることができる。
【図面の簡単な説明】
【０００６】
【図１】本考案の分解斜視図である。
【図２】本考案の連結台座と隔離部材の組合せを上から見た概略図である。
【図３】本考案の連結台座と隔離部材の組合せの断面図である。
【図４】本考案の連結台座、支持バー、傾斜バーの分解斜視図である。
【図５】本考案のディスプレイラックを展開した時の斜視図である。
【図６】本考案のディスプレイラックを収納した時の斜視図、及び連結台座に支持バーを差し込む箇所の断面図である。
【図７】本考案のディスプレイラックを展開した時の一部を示した斜視図、及び、連結台座に支持バーを差し込む箇所の断面図である。
【図８】本考案の実施例２の連結台座と隔離部材の組合せを示した断面図である。
【図９】本考案の実施例３の連結台座と隔離部材の組合せを示した断面図である。
【図１０】本考案の実施例４の連結台座と隔離部材の分解斜視図である。
【図１１】本考案の実施例４の連結台座と隔離部材の組合せを上から見た概略図である。
【図１２】本考案の実施例５の連結台座と隔離部材の組合せを示した分解斜視図である。
【図１３】本考案の実施例５の連結台座と隔離部材の組合せを示した断面図である。
【図１４】本考案の実施例６の連結台座と隔離部材の組合せを示した分解斜視図である。
【図１５】本考案の実施例６を上から見た概略図である。
【図１６】本考案の実施例７を上から見た概略図である。
【図１７】本考案の実施例８を上から見た概略図である。
【図１８】本考案の実施例９の分解斜視図である。
【図１９】本考案の実施例９の組合せを上から見た概略図である。
【図２０】本考案の実施例１０の隔離部材の分解斜視図である。
【考案を実施するための形態】
【０００７】
（実施例１）
図１、図５に示すように、本考案の好ましい実施例は、連結台座１０と、支持バー２０と、隔離部材３０とからなる。その内、支持バー２０は、連結台座１０内に差し込まれ、隔離部材３０は、連結台座１０における支持バー２０を差し込む箇所に設けられる。それにより、連結台座１０と支持バー２０の間に、摩擦防止作用をもたせることができる。使用者は、複数の連結台座１０及び複数の支持バー２０及び複数の傾斜バー４０を利用して、展開・収納可能なディスプレイラック１を組み立てることができる。
【０００８】
図１、図２、図３、図４に示すように、連結台座１０には穿孔１１が設けられ、支持バー２０は穿孔１１から差し込まれる。穿孔１１には、隔離部材３０を取り付けるための二つの係合溝１１１が設けられる。連結台座１０には固定孔１２が設けられ、固定孔１２は、支持バー２０を固定するための予備孔として用いられる。固定孔１２にネジ、リベット、ピン等の固定部材を螺入していない時は、連結台座１０と支持バー２０の間は、相対的な移動を行うことができ、即ち、連結台座１０を支持バー２０表面で行ったり来たりの移動を行うことができる（図５に図示したディスプレイラック１では、支持バー２０の中段部に近く配置された連結台座１０は、支持バー２０が可動な状態を保持する）。それにより、ディスプレイラック１の展開・収納動作が行いやすくなる。また、固定孔１２にネジ、リベット、ピン等の固定部材を螺入した時は、連結台座１０と支持バー２０を相互に結合させることができ、それにより、連結台座１０と支持バー２０の間は動かすことができなくなり（図５に図示したディスプレイラック１では、支持バー２０の底側端の連結台座１０は、支持バー２０と固定された状態になる）、ディスプレイラック１の固定基準端部となる。連結台座１０には二つの凹溝部１３が設けられ、凹溝部１３には二つの結合孔１３１が設けられ、結合孔１３１に軸ピン４１を通すことで、傾斜バー４０を枢設することができる。連結台座１０には二つのネジ孔１４が設けられ、それにより、支持バー２０を横向きに連結することができる。
【０００９】
隔離部材３０は、穿孔１１の形状に合わせて成型され、隔離部材３０には、係合溝１１１に対応する二つの係合リブ３１が設けられる。隔離部材３０は、穿孔１１内に設けられ、係合リブ３１は係合溝１１１に係合され、それにより、隔離部材３０は穿孔１１に固定される。隔離部材３０は、連結台座１０と支持バー２０を隔離する。隔離部材３０は、例えば、プラスチック材のような弾性材料からなる。隔離部材３０の一側には開口３２が設けられ、所定の弾性変形力をもつ。それにより、隔離部材３０を収縮させて穿孔１１内に嵌め込みやすくなり、隔離部材３０を穿孔１１に嵌め込むと、外側に開こうとする弾力によって、穿孔１１にきつく固定される。
【００１０】
図５に示すように、本考案のディスプレイラック１は、複数の連結台座１０と、複数の支持バー２０と、複数の傾斜バー４０とからなる。図に示すディスプレイラック１は、展開状であり、支持バー２０の一端には回転ジョイント２１が設けられ、支持バー２０の一端は、回転ジョイント２１を介して、回転ジョイント２１が設けられていない別の支持バー２０の一端に連結され、それにより、縦方向に延伸させる作用を形成させることができる。また、回転ジョイント２１を連結台座１０のネジ孔１４に連結させると、ディスプレイラック１を横向きに支持バー２０に連結させることができ、横向きに延伸する作用をもたせることができる。
【００１１】
図５、図６、図７に示すように、本考案の隔離部材３０は、連結台座１０と支持バー２０の間に配置される。ディスプレイラック１を展開、或いは収納させる時、支持バー２０の中段部に近い位置に配置された連結台座１０と支持バー２０は、相対的に移動させることができる（または、連結台座１０を支持バー２０の表面で行ったり来たり移動させることができる）。この時、隔離部材３０によって連結台座１０と支持バー２０の間を隔離することができ、連結台座１０と支持バー２０の間の直接の摩擦による損傷を防止し、外観の美しさと使用寿命を向上させることができる。
【００１２】
（実施例２）
図８に示すように、本考案の実施例２では、隔離部材３０ａの外部には、係合リブを設けていない。隔離部材３０ａの外径は、連結台座１０ａの穿孔１１ａより大きい。そして、穿孔１１ａには、隔離部材３０ａの外径に対応する凹溝１１１ａが設けられ、それにより、隔離部材３０ａは凹溝１１１ａに固定され、隔離部材３０ａを穿孔１１ａに固定することができる。
【００１３】
（実施例３）
図９に示すように、本考案の実施例３では、隔離部材３０ｂの上側と下側に、二つの突縁３１ｂが設けられ、それにより、突縁３１ｂは連結台座１０ｂの穿孔１１ｂの上下孔縁に係止され、隔離部材３０ｂを穿孔１１ｂに固定することができる。
【００１４】
（実施例４）
図１０と図１１に示すように、本考案の実施例４では、隔離部材３０ｃをＴ形の長棒状にして、複数個設ける。また、連結台座１０ｃの穿孔１１ｃには、隔離部材３０ｃの形状に対応する複数の係合溝１１１ｃが設けられ、それにより、隔離部材３０ｃは係合溝１１１ｃに固定され、隔離部材３０ｃを穿孔１１ｃに固定することができる。
【００１５】
（実施例５）
図１２と図１３に示すように、本考案の実施例５では、隔離部材３０ｄの上側と下側が外側に広がる形状になっている。また、連結台座１０ｅの穿孔１１ｅには、二つの環状溝１１１ｅが設けられ、それにより、穿孔１１ｅ形状が隔離部材３０ｄに対応する。以上により、隔離部材３０ｄは環状溝１１１ｅに固定され、隔離部材３０ｄを穿孔１１ｅに固定することができる。
【００１６】
（実施例６）
図１４と図１５に示すように、本考案の実施例６では、連結台座１０ｄに二つの連結溝１１ｄが設けられ、断面がＬ状の連結部材５０を嵌合することができる。連結部材５０の二つの平面の側面には二つの連結部５１が設けられ、連結部５１は、例えば、磁石等の磁性部材か粘着性物質である。それにより、連結部材５０の二つの側面は、二つのシールド６０を吸着、或いは、粘着させることができる。以上により、ディスプレイラック１の四つの側面には、いずれもシールド６０を簡単に取り付けることができ、ディスプレイラック１の外観は四角柱の形状を形成する。
【００１７】
（実施例７）
図１６に示すように、本考案の実施例７では、連結部材５０ａには、二つの連結部５１ａが設けられる以外に、二つの嵌合溝５２ａも設けられ、シールド６０に嵌合することができる。この連結部５１ａと嵌合溝５２ａにより、シールド６０をしっかり固定することができる。
【００１８】
（実施例８）
図１７に示すように、本考案の実施例８では、連結部材５０ｂには、環面状シールド７０を吸着或いは粘着させることができる平面部５１ｂが設けられる以外に、二つが交差する形状の嵌合板５２ｂが設けられる。嵌合板５２ｂは連結台座１０ｄに嵌合され、ディスプレイラック１の外観は円柱状を形成する。
【００１９】
（実施例９）
図１８と図１９に示すように、本考案の実施例９では、隔離部材３０ｅの内側面には、複数の棒状突部３１ｅが設けられ、本実施例の棒状突部３１ｅの表面は弧状面であり、それにより、隔離部材３０ｅ内側面と支持バー２０の間の接触面積を減らせるため、隔離部材３０を支持バー２０表面で移動させる時、摩擦の損傷を減らすことができる。棒状突部３１ｅの表面には、隔離部材３０と支持バー２０の間の接触面積を減らすことができるその他の形状にすることもできる。
【００２０】
（実施例１０）
図２０に示すように、本考案の実施例１０では、隔離部材３０ｆには複数のくり抜き孔３１ｆが設けられ、それにより、重量を軽減することができるとともに、材料を減らし、コストを下げることができる。
【符号の説明】
【００２１】
１        ディスプレイラック                  
１０      連結台座
１１      穿孔                      
１１１    係合溝
１２      固定孔                  
１３      凹溝部
１３１    結合孔                  
１４      ネジ孔
２０      支持バー                      
２１      回転ジョイント
３０      隔離部材              
３１      係合リブ
３２      開口                      
４０      傾斜バー
４１      軸ピン                      
５０      連結部材
５１      連結部                  
６０      シールド
７０      シールド                      
１０ａ    連結台座
１１ａ    穿孔                    
１１１ａ  凹溝
３０ａ    隔離部材            
１０ｂ    連結台座
１１ｂ    穿孔                    
３０ｂ    隔離部材
３１ｂ    突縁                    
１０ｃ    連結台座
１１ｃ    穿孔                    
１１１ｃ  係合溝
１０ｄ    連結台座                
１１ｄ    連結溝
１０ｅ    連結台座                
１１ｅ    穿孔                  
１１１ｅ  環状溝                    
３０ｃ    隔離部材                  
３０ｄ    隔離部材            
３０ｅ    隔離部材
３１ｅ    棒状突部                    
３０ｆ    隔離部材
３１ｆ    くり抜き孔                    
５０ａ    連結部材
５１ａ    連結部                
５２ａ    嵌合溝
５０ｂ    連結部材                
５１ｂ    平面部        
５２ｂ    嵌合板    
【図１】
0003175585.tif 000003
【図２】
0003175585.tif 000004
【図３】
0003175585.tif 000005
【図４】
0003175585.tif 000006
【図５】
0003175585.tif 000007
【図６】
0003175585.tif 000008
【図７】
0003175585.tif 000009
【図８】
0003175585.tif 000010
【図９】
0003175585.tif 000011
【図１０】
0003175585.tif 000012
【図１１】
0003175585.tif 000013
【図１２】
0003175585.tif 000014
【図１３】
0003175585.tif 000015
【図１４】
0003175585.tif 000016
【図１５】
0003175585.tif 000017
【図１６】
0003175585.tif 000018
【図１７】
0003175585.tif 000019
【図１８】
0003175585.tif 000020
【図１９】
0003175585.tif 000021
【図２０】
0003175585.tif 000022